(57)【要約】【課題】ゴルフクラブシャフトが抜けること、およびゴルフクラブヘッドとゴルフクラブシャフトとの結合力が弱くなっても、打撃等によってゴルフクラブヘッドがゴルフクラブシャフトに対して回転してしまうことを防止することができるゴルフクラブヘッドおよびゴルフクラブを提供する。【解決手段】ゴルフクラブヘッド１０は、ゴルフボールを打撃するヘッド体２２と、ゴルフクラブシャフト４０が挿入される挿入孔を有するホーゼル部２８とを有する。このホーゼル部２８の挿入孔は、ヘッド体２２を貫通し、このヘッド体２２に開口部を有する貫通孔３０である。この貫通孔３０は、ヘッド体側の開口部３２は、軸線Ｃに対して垂直な面に投影した際の投影形状が所定の曲率の分布を有するものであり、ヘッド体側の開口部３２を貫通孔３０の軸線Ｃに対して垂直な面に投影した際の投影開口面積がホーゼル部側の開口部３１の投影開口面積よりも大きい。【選択図】図１
2005040156.tif 000002
【特許請求の範囲】
【請求項１】
ゴルフボールを打撃するヘッド体と、ゴルフクラブシャフトが挿入される挿入孔を有するホーゼル部とを有するゴルフクラブヘッドであって、
前記ホーゼル部の挿入孔は、前記ヘッド体を貫通し、前記ヘッド体に開口部を有する貫通孔であり、
前記貫通孔の前記ヘッド体側の開口部は、前記貫通孔の軸線に対して垂直な面に投影した際の投影形状が所定の曲率の分布を有することを特徴とするゴルフクラブヘッド。
【請求項２】
前記貫通孔の長さは、３０ｍｍ以下である請求項１に記載のゴルフクラブヘッド。
【請求項３】
前記貫通孔は、前記開口部を前記貫通孔の軸線に対して垂直な面に投影した際の投影形状の最大径と、前記投影形状の最小径との比が１．１以上である請求項１または２に記載のゴルフクラブヘッド。
【請求項４】
前記ヘッド体は、中実体または中空体である請求項１乃至３のいずれか１項に記載のゴルフクラブヘッド。
【請求項５】
請求項１乃至４のいずれか１項に記載のゴルフクラブヘッドを有することを特徴とするゴルフクラブ。
【請求項６】
さらに前記ゴルフクラブヘッドのホーゼル部の前記貫通孔に挿入されるゴルフクラブシャフトの先端部には、前記ゴルフクラブシャフトの長手方向に延びる切欠が設けられている請求項５に記載のゴルフクラブ。
【発明の詳細な説明】
【０００１】
【発明の属する技術分野】
本発明は、装着されるゴルフクラブシャフトの抜け、およびゴルフクラブヘッドとゴルフクラブシャフトとの結合力が弱くなった場合にゴルフボールの打撃によってゴルフクラブヘッドがゴルフクラブシャフトに対して回転しまうことを防止することができるゴルフクラブヘッドおよびゴルフクラブに関する。
【０００２】
【従来の技術】
ゴルフクラブヘッドは、一般に、ゴルフボールを打撃するヘッド体と、ゴルフクラブシャフトを固定するホーゼル部とを有する。ホーゼル部には、このゴルフクラブシャフトを挿通するための貫通孔が、ヘッド体の底部を貫通するように形成されている。
この場合、貫通孔は、ゴルフクラブシャフトが挿入される側よりも底部側の方が径が大きく、さらに、この貫通孔が軸線方向に対してテーパ状に広がっている。
【０００３】
上記ゴルフクラブにおいては、中空のゴルフクラブシャフトがホーゼル部に挿入されて、底部側から充填材がゴルフクラブシャフト内部に充填されることにより、ゴルフクラブシャフトの先端部が拡開されて貫通孔の内面に密着する。このため、ゴルフクラブシャフトは挿入される側の径よりも底部側のゴルフクラブシャフトの径が大きくなり、ゴルフクラブシャフトの抜けが防止される。
【０００４】
【発明が解決しようとする課題】
しかしながら、従来のゴルフクラブヘッドでは、ゴルフクラブシャフトの抜けは、防止できるものの、ゴルフボールの打撃により、ゴルフクラブヘッドとゴルフクラブシャフトとの結合力が弱くなった場合には、ゴルフボールの打撃によってゴルフクラブヘッドがゴルフクラブシャフトに対して回転してしまうことを防止できず、ゴルフクラブの打撃性能が変化してしまうという問題点がある。
【０００５】
本発明は、かかる問題点に鑑みてなされたものであり、ゴルフクラブシャフトが抜けること、およびゴルフクラブヘッドとゴルフクラブシャフトとの結合力が弱くなっても、打撃等によってゴルフクラブヘッドがゴルフクラブシャフトに対して回転してしまうことを防止することができるゴルフクラブヘッドおよびゴルフクラブを提供することを目的とする。
【０００６】
【課題を解決するための手段】
前記課題を解決するために、本発明の第１の態様は、ゴルフボールを打撃するヘッド体と、ゴルフクラブシャフトが挿入される挿入孔を有するホーゼル部とを有するゴルフクラブヘッドであって、前記ホーゼル部の挿入孔は、前記ヘッド体を貫通し、前記ヘッド体に開口部を有する貫通孔であり、前記貫通孔の前記ヘッド体側の開口部は、前記貫通孔の軸線に対して垂直な面に投影した際の投影形状が所定の曲率の分布を有することを特徴とするゴルフクラブヘッドを提供するものである。
【０００７】
本発明においては、前記貫通孔は、前記ヘッド体側の開口部を前記貫通孔の軸線に対して垂直な面に投影した際の投影開口面積が前記ホーゼル部側の開口部の前記投影開口面積よりも大きいことが好ましい。
【０００８】
また、本発明においては、前記貫通孔の長さは、３０ｍｍ以下であることが好ましい。なお、前記貫通孔の長さは、より好ましくは２５ｍｍ以下であり、更に好ましくは２０ｍｍ以下である。
【０００９】
さらに、本発明においては、前記貫通孔は、前記開口部を前記貫通孔の軸線に対して垂直な面に投影した際の投影形状の最大径と、前記投影形状の最小径との比が１．１以上であることが好ましい。投影形状の最大径と、前記投影形状の最小径との比は、より好ましくは１．２以上であり、さらに好ましくは１．３以上である。
【００１０】
また、本発明の第２の態様は、上記本発明の第１の態様のゴルフクラブヘッドを有することを特徴とするゴルフクラブを提供するものである。
【００１１】
本発明においては、さらに前記ゴルフクラブヘッドのホーゼル部の前記貫通孔に挿入されるゴルフクラブシャフトの先端部には、前記ゴルフクラブシャフトの長手方向に延びる切欠が設けられていることが好ましい。
【００１２】
【発明の実施の形態】
以下、本発明の実施例に係るゴルフクラブヘッドおよびゴルフクラブについて、添付の図面を基に詳細に説明する。
図１は本発明の第１の実施例に係るゴルフクラブの各構成部材を示す模式的部分断面平面図であり、図２は図１に示すゴルフクラブヘッドをＡ−Ａ線に垂直な方向からみた模式図である。
【００１３】
図１に示すように、ゴルフクラブ１０は、ゴルフクラブヘッド２０と、ゴルフクラブシャフト４０とを有する。
【００１４】
ゴルフクラブヘッド２０は、ヘッド体２２と、ホーゼル部２８とを有する。ヘッド体２２は、金属または合金などによって形成されたものであり、ゴルフボールを打撃するフェース面２４と、ソール部２６とを有する。本実施例のゴルフクラブヘッド２０は、アイアンのヘッドを示すものであり、ヘッド体２２は中実体である。
【００１５】
ホーゼル部２８には、ソール部２６まで貫通する貫通孔３０が形成されている。この貫通孔３０にゴルフクラブシャフト４０が挿入されて、接着剤などによって、ゴルフクラブシャフト４０が固定される。
【００１６】
貫通孔３０は、その軸線Ｃ方向に対してテーパ状に広がっている。ゴルフクラブシャフト４０が挿入される側（ホーゼル部２８側）の開口部３１は、貫通孔３０の軸線Ｃと直交するＡ−Ａ線を含み、かつ軸線Ｃに対して垂直な面に投影した際の投影形状（以下、単に、投影形状ともいう）が円形（図２参照）である。
また、貫通孔３０においては、ソール部２６側（ヘッド体２２側）の開口部３２は、同様に貫通孔３０の軸線Ｃと直交するＡ−Ａ線を含み、かつ軸線Ｃに対して垂直な面に投影した際の投影形状が楕円（図２参照）である。すなわち、貫通孔３０のソール部２６側の開口部３２の投影形状は、曲率が一様ではなく所定の分布を有するものである。なお、本実施例においては、貫通孔３０の開口部３１の投影形状の面積（以下、投影開口面積という）と、開口部３２の投影開口面積とでは、ソール部２６側の開口部３２の方が大きい。
【００１７】
また、本実施例においては、貫通孔３０の開口部３１の投影形状を円形にしたが、これに限定されるものではなく、開口部３１の投影形状は、楕円、卵型または多角形などの非円形形状であってもよい。さらに、貫通孔３０の開口部３２の投影形状についても、曲率が一様ではなく所定の分布を有するもの、すなわち、楕円、卵型または多角形などの非円形形状であれば、特に限定されるものではない。
【００１８】
ゴルフクラブシャフト４０は、中空円筒であり、例えば、金属、合金、または繊維強化複合材料からなるものである。
ゴルフクラブシャフト４０の先端部には、このゴルフクラブシャフト４０の長手方向に伸びる切欠４２が円周方向に複数設けられている。これにより、ゴルフクラブシャフト４０の先端部は、その直径方向に変位可能である。
【００１９】
図３は本発明の第１の実施例に係るゴルフクラブを示す模式的部分断面平面図である。
図３に示すように、ゴルフクラブ１０は、ゴルフクラブシャフト４０がホーゼル部２８の貫通孔３０に挿入されており、ソール部２６側の開口部３２から充填材５０がゴルフクラブシャフト４０の内部に充填されて、ゴルフクラブシャフト４０の先端部が拡開されて開口部３２の内面に密着する。
これにより、開口部３２の投影形状が楕円（非円形状）であるので、ゴルフクラブヘッド２０がゴルフボールの打撃を受けた場合に、ゴルフクラブヘッド２０とゴルフクラブシャフト４０との結合力が低下しても、ゴルフクラブシャフト４０が開口部３２に引っ掛ってゴルフクラブヘッド２０の回転を防止し、更にはゴルフクラブの打撃性能の変化も防止できる。さらに、開口部３２の投影開口面積が、開口部３１の投影開口面積よりも大きく、貫通孔３０は、軸線Ｃ方向に対してテーパ状になっているので、ゴルフクラブシャフト４０の抜けがより一層防止されるとともに、ゴルフクラブヘッド２０の回転もより一層防止できる。
【００２０】
また、本実施例において貫通孔３０は、図３に示すゴルフクラブ１０の平面図において符号Ｌで示すヒール端部における長さが３０ｍｍ以下であることが好ましい。より好ましくは、貫通孔３０は、ヒール端部における長さＬが２５ｍｍ以下であり、更に好ましくは、貫通孔３０は、ヒール端部における長さＬが２０ｍｍ以下である。本発明においては、貫通孔３０のヒール端部における長さＬを３０ｍｍ以下にすることにより、ホーゼル部２８の質量を低減することが可能となり、ゴルフクラブ１０の設計の自由度を増すことができる。なお、貫通孔３０のヒール端部における長さＬの下限は、特に制限されるものではないが、ゴルフクラブヘッド２０の回転の防止の目的を達成するためには、貫通孔３０のヒール端部における長さＬが少なくとも１０ｍｍ必要である。
【００２１】
また、本発明においては、貫通孔３０の開口部の投影形状における最大径と、その投影形状における最小径との比は１．１以上とすることが好ましい。これは、例えば、本実施例におけるソール部２６側の開口部３２の投影形状における径と、挿入側の開口部３１の投影形状における径との比に対応するものである。本発明においては、貫通孔３０の開口部の投影形状における最大径と、その投影形状における最小径との比を１．１以上とすることにより、ゴルフクラブヘッド２０の回転を更に一層防止することができる。また、本発明において、貫通孔３０の開口部の投影形状における最大径と、その投影形状における最小径との比は、より好ましくは１．２以上であり、さらに好ましくは１．３以上である。なお、貫通孔３０の開口部の投影形状における最大径と、その投影形状における最小径との比の上限は、特に制限されるものではなく、ゴルフクラブの設計の自由度を保つために２．５程度である。
【００２２】
上述の如く、本実施例のゴルフクラブ１０においては、開口部３２の投影形状を非円形形状とすることにより、ゴルフクラブシャフト４０の抜け、およびゴルフクラブヘッド２０の回転を防止できる。ひいては、ゴルフクラブ１０の寿命を向上させることができる。
【００２３】
さらに、本実例例のゴルフクラブ１０においては、貫通孔３０の挿入側の開口部３１の投影開口面積よりもソール部側の開口部３２の投影開口面積を大きくすることにより、より一層ゴルフクラブシャフト４０の抜け、およびゴルフクラブヘッド２０の回転を防止でき、ゴルフクラブ１０の寿命をより一層向上させることができる。
また、本実施例のゴルフクラブ１０においては、逆に、貫通孔３０の挿入側の開口部３１の投影開口面積よりもソール部側の開口部３２の投影開口面積を小さくすることもできる。この場合、ゴルフクラブシャフト４０を貫通孔３０に容易に挿入することができるので、ゴルフクラブ１０を容易に組立てることができる。このため、ゴルフクラブ１０の生産性を向上させることができる。このような形態のゴルフクラブ１０でも、ゴルフクラブシャフト４０の抜けおよびゴルフクラブヘッド２０の回転を防止できることは言うまでもない。
【００２４】
なお、本実施例においては、開口部３１の投影形状も非円形形状とすることにより、更に一層、ゴルフクラブヘッド２０の回転を防止することができ、ゴルフクラブ１０の寿命も更に一層向上させることができる。
【００２５】
次に、本発明の第２の実施例について説明する。図４は本発明の第２の実施例に係るゴルフクラブを各構成部材を示す模式的部分断面平面図であり、図５は本発明の第２の実施例に係るゴルフクラブを示す模式的断面平面図である。なお、本実施例においては、図１乃至図３に示す本発明の第１の実施例のゴルフクラブおよびゴルフクラブヘッドと同様の構成物には、同一符号を付してその詳細な説明は省略する。
本実施例のゴルフクラブ１１は、第１の実施例のゴルフクラブ１０と比して、ゴルフクラブヘッド６０のヘッド体６２が中空構造を有するウッド系のゴルフクラブヘッド６０である点、およびゴルフクラブシャフト４０がホーゼル部７０の挿入側の開口部７２およびソール部６６側の開口部７４で固定される点が異なり、それ以外の構成は、第１の実施例のゴルフクラブ１０と同様の構成なので、その詳細な説明は省略する。
【００２６】
ゴルフクラブヘッド６０は、フェース面部６４およびソール部６６を有しており、このフェース面部６４によりゴルフボールが打撃される。なお、本実施例においても、開口部７２、７４の投影形状は、軸線Ｃと直交するＢ−Ｂ線を含み、かつ軸線Ｃに対して垂直な面に投影して得られたものである。本実施例においても、第１の実施例と同様に、開口部７２の投影形状は円形であり、ソール部６６側の開口部７４の投影形状は楕円、すなわち、非円形形状である。
【００２７】
また、本実施例においても、第１の実施例の貫通孔３０のヒール端部における長さＬ（図３参照）に相当する挿入側の開口部７２とソール部６６側の開口部７４とのヒール端部における距離、および貫通孔７２の開口部の投影形状における最大径と、その投影形状における最小径との比は、第１の実施例と同様の数値範囲であることが好ましい。
【００２８】
また、図５に示すように、ゴルフクラブ１１は、ゴルフクラブシャフト４０が、例えば、接着剤により、各開口部７２、７４で固定され、ゴルフクラブシャフト４０の内部に充填材５０が充填されて拡開されて、ゴルフクラブシャフト４０の先端部が開口部７４の内面に密着する。これにより、第１の実施例と同様の効果を奏する。すなわち、ゴルフクラブシャフト４０の抜けを防止することができるとともに、フェース面部６４でゴルフボールを打撃して、ゴルフクラブシャフト４０とゴルフクラブヘッド６０との結合力が低下した場合であっても、ゴルフクラブヘッド６０の回転を防止でき、打撃性能の変化も防止できる。
【００２９】
なお、本実施例においても、開口部７２の投影形状を非円形形状とすることにより、更に一層、ゴルフクラブヘッド６０の回転を防止することができ、ゴルフクラブ１１の寿命も更に一層向上させることができる。
【００３０】
【発明の効果】
以上、詳細に説明したように、本発明のゴルフクラブヘッドによれば、ヘッド体を貫通し、このヘッド体に開口部を有し、かつゴルフクラブシャフトが挿入される貫通孔のヘッド体側の開口部について、軸線に対して垂直な面に投影した際の投影形状を所定の曲率の分布を有するものとすることにより、挿入されるゴルフクラブシャフトの抜け、およびゴルフクラブヘッドとゴルフクラブシャフトとの間の結合力の低下による回転を防止することができる。
【００３１】
また、本発明のゴルフクラブによれば、ヘッド体を貫通し、このヘッド体に開口部を有し、かつゴルフクラブシャフトが挿入される貫通孔のヘッド体側の開口部について、軸線に対して垂直な面に投影した際の投影形状を所定の曲率の分布を有するものとすることにより、ゴルフクラブシャフトの抜け、およびゴルフクラブヘッドとゴルフクラブシャフトとの間の結合力の低下による回転を防止することができる。
【図面の簡単な説明】
【図１】本発明の第１の実施例に係るゴルフクラブの各構成部材を示す模式的部分断面平面図である。
【図２】図１に示すゴルフクラブヘッドをＡ−Ａ線に垂直な方向からみた模式図である。
【図３】本発明の第１の実施例に係るゴルフクラブを示す模式的部分断面平面図である。
【図４】本発明の第２の実施例に係るゴルフクラブを各構成部材を示す模式的部分断面平面図である。
【図５】本発明の第２の実施例に係るゴルフクラブを示す模式的断面平面図である。
【符号の説明】
１０、１１  ゴルフクラブ
２０、６０  ゴルフクラブヘッド
２２、６２  ヘッド体
２４  フェース
２６、６６  ソール部
２８、７０  ホーゼル部
３０  貫通孔
３１、３２、７２、７４  開口部
４０  ゴルフクラブシャフト
４２  切欠
５０  充填材
【図１】
2005040156.tif 000003
【図２】
2005040156.tif 000004
【図３】
2005040156.tif 000005
【図４】
2005040156.tif 000006
【図５】
2005040156.tif 000007